(57)【特許請求の範囲】
【請求項１】
カーテンレールと、前記カーテンレールに長手方向移動自在に取り付けられる先頭ランナーを備えるカーテン装置において、前記カーテンレールに固定される固定側係止部材と、前記先頭ランナーに固定される移動側係止部材とからなるカーテンストップであって、前記移動側係止部材は、前記固定側係止部材の傍らをカーテンレール長手方向に通過可能に設けられ、前記固定側係止部材は、固定側強磁性体又は永久磁石を保持する固定側本体と、前記固定側本体から延長して前記カーテンレールに固定位置調整自在に固定される固定アームとからなり、前記移動側係止部材は、移動側強磁性体又は永久磁石を保持する移動側本体と、前記移動側本体から延長して前記先頭ランナーに一体に固定される取付アームとからなり、前記移動側係止部材が移動して前記固定側係止部材に接近すると、前記固定側及び移動側強磁性体の間に磁力が作用して前記移動側係止部材の移動を規制し、前記先頭ランナーの前記カーテンレールから垂下する部分を水平に貫通する取付孔が設けられ、前記取付アームは棒状であり、前記取付孔に挿入されて弾性的に固定されることを特徴とするカーテン装置のカーテンストップ。
【請求項２】
固定側及び移動側強磁性体の間に作用する磁力は吸引力であることを特徴とする請求項１に記載のカーテン装置のカーテンストップ。
【請求項３】
固定側強磁性体と移動側強磁性体は共に永久磁石であり、前記固定側及び移動側強磁性体の間に作用する磁力は反発力であることを特徴とする請求項１に記載のカーテン装置のカーテンストップ。
【請求項４】
カーテンレール長手方向に見ると、前記固定側及び移動側強磁性体の対向する磁極面は平行に離隔して近接することを特徴とする請求項２又は３に記載のカーテン装置のカーテンストップ。
【請求項５】
固定側強磁性体と移動側強磁性体の磁極面は水平又は鉛直であることを特徴とする請求項４に記載のカーテン装置のカーテンストップ。
【請求項６】
取付アームは、先頭ランナーに対する取付位置を規定するために、取付孔を前後から挟む前後段部を備え、前記前段部は、前記取付孔を通過するため、中抜きされて弾性的に左右収縮可能であることを特徴とする請求項１に記載のカーテン装置のカーテンストップ。
【請求項７】
固定側本体及び移動側本体は、それぞれ、少なくとも一面が開口する箱状であることを特徴とする請求項１に記載のカーテン装置のカーテンストップ。
【請求項８】
固定側本体及び移動側本体は、それぞれ、内部に左右又は前後に弾性的に開閉する少なくとも一対の爪を有し、前記爪は内装する強磁性体を支持することを特徴とする請求項７に記載のカーテン装置のカーテンストップ。
【請求項９】
固定アームはカーテンレールの前後耳部に弾性的に係合する前後係合部を備えることを特徴とする請求項１に記載のカーテン装置のカーテンストップ。
【発明の詳細な説明】
【技術分野】
【０００１】
本発明は、カーテン装置において、全開カーテンの戻りを防止することも、カーテンを任意の位置に停止させておくことも可能なカーテンストップに関する。
【背景技術】
【０００２】
実公昭５５−５１１０号公報記載のカーテンストップ従来例は、カーテンレールの端部付近に設けるマグネット取付盤と、先頭ランナーの側壁に設ける先頭ランナーの吸着盤とからなり、カーテンの全開時、カーテンレールのマグネット取付盤に先頭ランナーの吸着盤を衝接させて吸着保持することにより、先頭ランナーの戻りを防止する方式である。しかし、この従来例は、マグネット取付盤が先頭ランナーの通過を阻止するから、カーテンを任意位置、例えば、半開位置に停止させるカーテンストップとして使用することはできない。例えば、カーテンレールのカーテン半開位置にマグネット取付盤を設けると、カーテンの全開又は全閉が不可能になる。【０００３】
特許第３２９４２２６号公報記載の従来例は、先頭ランナーの側壁に設ける係止バーと、カーテンレールの端部付近に吊り下げられて係止バーと衝接する係止部材とからなり、衝接力が大きいカーテン開閉操作のときは、係止部材は係止バーの潜り抜けを許し、衝接力が小さい折りたたみからのカーテン復元力のときは、係止部材は係止バーの潜り抜けを阻止して先頭ランナーの戻りを防止する方式である。この従来例は、係止部材が係止バーと衝接するが、衝接力が大きければ、先頭ランナーの通過は可能であるから、カーテンを任意位置に停止させるカーテンストップとして使用することもできる。しかし、カーテンレールに設けるカーテンストップの固定側係止部材と、先頭ランナーに設けるカーテンストップの移動側係止部材とが衝接するため、カーテンの開閉操作が不円滑である上に、カーテンストップ自体が破損し易いという問題がある。
【特許文献１】実公昭５５−５１１０号公報
【特許文献２】特許第３２９４２２６号公報
【発明の開示】
【発明が解決しようとする課題】
【０００４】
本発明は、上記問題を解決するためになされたものであり、その課題は、カーテン全開時に、折りたたまれるカーテンの復元力による先頭ランナーの戻りを防止することも、カーテンを任意の位置に停止させることも可能なカーテンストップであって、カーテンストップ自体が破損するおそれも、カーテン開閉操作が不円滑となるおそれもないものを提供することである。
【課題を解決するための手段】
【０００５】
前記課題を達成するため、本発明が採用する手段は、カーテンレールに取り付けられる固定側係止部材と、先頭ランナーに取り付けられる移動側係止部材とからなるカーテンストップにおいて、移動側係止部材は、固定側係止部材の傍らをカーテンレール長手方向に通過可能に設け、固定側係止部材は、固定側強磁性体又は永久磁石を保持する固定側本体と、固定側本体から延長してカーテンレールに固定位置調整自在に固定される固定アームとから形成し、移動側係止部材は、移動側強磁性体又は永久磁石を保持する移動側本体と、移動側本体から延長して先頭ランナーに一体に固定される取付アームとから形成し、固定側係止部材に移動側係止部材が接近すると、固定側及び移動側強磁性体の間に磁力が作用して移動側係止部材の移動を規制し、先頭ランナーのカーテンレールから垂下する部分を水平に貫通する取付孔が設けられ、取付アームは棒状であり、取付孔に挿入されて弾性的に固定されることである。
【発明の効果】
【０００６】
本発明のカーテンストップを備えるカーテン装置において、固定側係止部材をカーテンレールのカーテン全開側端部に固定すると、先頭ランナーをカーテンの全開側端部に寄せてカーテンを全開したとき、先頭ランナーに取り付ける移動側本体が保持する移動側強磁性体と、カーテンレールに固定される固定側本体が保持する固定側強磁性体の間に磁力が作用して先頭ランナーの移動を規制するから、折りたたまれたカーテンの復元力程度の外力で先頭ランナーが押し戻されるおそれはなく、カーテン閉操作がなされない限り、カーテンは全開状態を維持する。固定側本体と移動側本体は接近し、接触することもあるが、、衝接することは全くないから、カーテンの開閉操作は軽快であり、カーテンストップが破損するおそれは全くない。【０００７】
又、固定側係止部材をカーテンレール上の任意の位置に固定すると、カーテンを引いて先頭ランナーをカーテンレール上の任意の位置に寄せたとき、先頭ランナーに取り付ける移動側本体が保持する移動側強磁性体と、カーテンレールに固定される固定側本体が保持する固定側強磁性体の間に磁力が作用して先頭ランナーの移動を規制するから、カーテンはカーテンレール上の任意の位置に停止する。この磁力による先頭ランナーの移動規制は、人がカーテンを引く力には及ばないから、停止しているカーテンを再び開閉する操作は容易である。
【発明を実施するための最良の形態】
【０００８】
固定側強磁性体と移動側強磁性体の双方を永久磁石とするか、又は、一方を永久磁石、他方を鉄板等の非永久磁石の強磁性体とする。固定側及び移動側強磁性体の間に作用する磁力は吸引でも反発でもよい。カーテンレール長手方向に見ると、固定側及び移動側強磁性体の対向する磁極面は平行に離間して近接する水平面又は鉛直面とすることが好ましい。【０００９】
好ましくは、固定アームにカーテンレールの前後耳部に弾性的に係合す前後係合部を設け、固定側本体は箱状とし、少なくとも一面を開口して固定側強磁性体を内装するする。先頭ランナーのカーテンレールから垂下する部分に水平に貫通する取付孔を設け、その取付孔に棒状の取付アームを挿入して弾性的に固定することにより、移動側本体を先頭ランナーに取り付ける。移動側本体も箱状とし、少なくとも一面を開口して移動側強磁性体を内装する。固定側及び移動側本体内部に左右又は前後に弾性的に開閉する少なくとも一対の爪を一体に設け、その爪で内装する強磁性体を弾性的に支持する。【００１０】
取付アームに取付孔を前後から挟む前後段部を設けて先頭ランナーに対する取付位置を規定する。前段部は中抜きにして弾性的に左右収縮可能とし、取付アームを取付孔に押し込むと、前段部は、取付孔通過中、収縮し、取付孔通過後、復元するようにすることが好ましい。
【実施例】
【００１１】
本発明を図面に示す実施例に基づいて説明する。図１及び図２は、本発明実施例のカーテンストップを備えるカーテン装置の前面図、図３及び図４は、カーテンストップの側断面図及び後面図、図５は、図３のＶ−Ｖ線矢視図、図６は、移動側係止部材の底面図である。図７は、別の実施例の後面図である。【００１２】
図１に示すカーテン装置は、カーテン１の戻りを防止するためにカーテンストップ２を備える。カーテン１を全開すると、先頭ランナー４はカーテンレール３の固定側に寄せられ、カーテン１は折りたたまれる。折りたたまれたカーテン１は先頭ランナー４を押し戻そうとするが、先頭ランナー４の真上に位置するカーテンストップ２が、先頭ランナー４の移動を規制するから、カーテン１の戻りは防止される。【００１３】
図２に示すカーテン装置は、カーテン１を任意の位置に停止させるためにカーテンストップ２を備える。カーテンストップ２をカーテンレール３上の任意の位置に設けると、先頭ランナー４はその位置に停止するから、カーテン１を移動して任意の位置に停止させることができる。【００１４】
図３、図４及び図５に示すように、カーテンレール３には先頭ランナー４が他のランナーと共にカーテンレール長手方向に走行自在に取り付けられる。カーテンストップ２は、カーテンレール３に固定位置調整自在に固定される固定側係止部材５と、先頭ランナー４のカーテンレール３から垂下する部分に一体に固定される移動側係止部材６からなる。固定側係止部材５は直方体の固定側マグネット７を、移動側係止部材６は同じく直方体の移動側マグネット８をそれぞれ保持する。カーテンレール３のカーテン固定側に寄せられた先頭ランナー４の移動側係止部材６は固定側係止部材５の直下に位置する。【００１５】
固定側係止部材５は、上面が開口し底面に窓がある箱状の固定側本体９と、その上面からカーテンレール３の上面へ延長する固定アーム１０とからなる。固定アーム１０はカーテンレール３の前後の耳部１１と弾性的に係合して固定側係止部材５をカーテンレール３に一体固定する前後の係合部１２を備える。固定側マグネット７は上面の開口から固定側本体９に内装される。固定側本体９は内部左右に弾性的に左右方向に開閉可能な爪１３を備え、その左右の爪１３は挿入される移動側マグネット８を弾性的に挟持する。【００１６】
移動側係止部材６は、底面が開口し上面に窓がある箱状の移動側本体１４と、その前面から先頭ランナー４の取付孔１５に挿入する角棒状の取付アーム１６とからなる。取付アーム１６はカーテンレール３の下方に位置する角形の取付孔１５と弾性的に係合して移動側係止部材６を先頭ランナー４に一体固定する。移動側マグネット８は底面の開口から移動側本体１４の内部に挿入される。移動側本体１４は内部左右に弾性的に左右方向に開閉可能な爪１７を備え、その左右の爪１７は挿入される移動側マグネット８を支持する。【００１７】
固定側係止部材５の固定側本体９に内装された固定側マグネット７の磁極面２０と、移動側係止部材６の移動側本体１４に内装された移動側マグネット８の磁極面２１は、共に水平であり、カーテンレール長手方向に平行である。固定側及び移動側本体９、１４は、カーテンレール長手方向に見ると、平行に離間して近接する。移動側係止部材６が移動して固定側係止部材５とカーテンレール垂直方向に重合するとき、固定側及び移動側マグネット７、８の対向する磁極面２０、２１は、相互に異極であり、相互に吸引する。【００１８】
図３及び図６に示すように、移動側本体１４の取付アーム１６は移動側本体１４の前面中央から水平に突出する。取付アーム１６は前後段部１８、１９を備え、その前後段部１８、１９は先頭ランナー４の取付孔１５を前後から挟み、先頭ランナーに対する移動側本体１４の固定位置を規定する。前段部は、中抜きであり、左右から弾性的に収縮可能である。先頭ランナ２に移動側本体１４を取り付けるとき、取付アーム１６を取付孔１５に押し込むと、前段部は、取付孔１５を通過するまで、弾性的に左右幅が収縮し、取付孔１５を通過すると、元に戻る。【００１９】
図５及び図６に示すように、固定側本体９の内部において左右一組の爪１３の鈎状先端は弾性的に左右方向開閉可能に起立する。固定側マグネット７は固定側本体９に上方から内装され、左右の爪１３は、始め、開いて移動側マグネット７を受け入れ、その後、閉じて移動側マグネット７を挟持する。固定側マグネット７の磁極面２０は固定側本体９の底面の窓から部分的に露出する。移動側本体１４の内部において左右一組の爪１７の鈎状先端は弾性的に左右方向開閉可能に垂下する。移動側マグネット８は移動側本体１４に下方から内装され、左右の爪１７は、始め、開いて移動側マグネット８を受け入れ、その後、閉じて移動側マグネット８を支持する。移動側マグネット８の磁極面２１は移動側本体１
４の上面の窓から部分的に露出する。【００２０】
先頭ランナー４の移動側係止部材６が、カーテンレール３に固定された固定側係止部材５の直下へ移動するとき、固定側係止部材４とは衝接も摺接もしないから、カーテン開閉操作は円滑かつ軽快であり、操作によりカーテンストップの固定側及び移動側係止部材３、４が破損するおそれは全くない。先頭ランナー４の移動側係止部材６は固定側係止部材５の直下に位置するとき、固定側マグネット７と移動側マグネット８の近接して対向する磁極面２０、２１は、極性が相反するため、相互に吸引するから、移動側本体１４が固定側本体９と接触することもある。しかし、その吸引力は、人の操作力に比べると小さいから、カーテン操作の円滑性が損なわれるおそれも、操作によりカーテンストップが破損するおそれも殆どない。【００２１】
カーテンを全開すると、折りたたまれたカーテンは先頭ランナー４に復元力を作用し先頭ランナー４をカーテンレール３の中央へ押し返そうとする。しかし、先頭ランナー４に一体保持される移動側マグネット８は、カーテンレール３に一体保持される固定側マグネット７に吸引され、その吸引力は、両マグネット７、８の極性が相反する磁極面２０、２１同士は近接して対向するため、折りたたまれたカーテンの復元力よりは強力である。したがって、先頭ランナー４はカーテンレール固定側端部の寄せられた位置に止まり、カーテンは全開状態を維持する。【００２２】
図７に示すカーテンストップ２２は、固定側係止部材５に内装された固定側マグネット７と、移動側係止部材６に内装された移動側マグネット８の対向する磁極面２３、２４が同極である。先頭ランナー４と共に移動側係止部材６が移動してカーテンレール３に固定された固定側係止部材５に近付くと、相互の磁力が反発し、先頭ランナー４の移動は固定側係止部材５の直下に至る前に阻止される。この先頭ランナー４の移動を阻止する力は、カーテンの折りたたみからの復元力、風がカーテンを引く力等よりは大きいから、全開カーテンの戻り防止にも、カーテンを任意の位置に停止させることにも有効である。しかし、この力は、人がカーテンを引く力よりは小さいから、任意位置に停止させたカーテンの移動再開の支障になることはない。この実施例の上記以外の構成及び効果は、前記実施例と同じである。
【図面の簡単な説明】
【００２３】
【図１】本発明実施例のカーテンストップを全開カーテンの戻り防止のために備えるカーテン装置の前面図
【図２】本発明実施例のカーテンストップを任意の位置にカーテンを停止するために備えるカーテン装置の前面図
【図３】カーテンストップの側断面図、
【図４】カーテンストップの後面図、
【図５】図３のＶ−Ｖ線矢視図、
【図６】移動側係止部材の底面図、
【図７】別の実施例の後面図。
【符号の説明】
【００２４】
１：カーテン
２：カーテンストップ
３：カーテンレール
４：先頭ランナー
５：固定側係止部材
６：移動側係止部材
７：固定側マグネット
８：移動側マグネット
９：固定側本体
１０：固定アーム
１１：耳部
１２：係合部
１３：爪
１４：移動側本体
１５：取付孔
１６：取付アーム
１７：爪
１８：段部
１９：段部
２０：磁極面
２１：磁極面
２２：カーテンストップ
２３：磁極面
２４：磁極面
【図１】
0004701242.tif 000002
【図２】
0004701242.tif 000003
【図３】
0004701242.tif 000004
【図４】
0004701242.tif 000005
【図５】
0004701242.tif 000006
【図６】
0004701242.tif 000007
【図７】
0004701242.tif 000008